(57)【特許請求の範囲】
【請求項１】
水槽を洗濯機本体の上部からサスペンションを介して垂下防振支持する支持棒と、前記支持棒を貫通しかつ前記サスペンションを被う筒状のスライダーと、前記支持棒の下端部に設け前記スライダー内面を摺動する摺動リップを有するキャップ体とを備え、前記キャップ体は、樹脂などの可とう性の材料にて形成し、前記摺動リップには、円周方向に略均等に複数の切り欠き部が形成され、前記摺動リップの内側には、内側から外方へ応力を分散させる略環状のばね体を配設し、前記ばね体の両端部の間には、前記ばね体の両端部が当接することで前記ばね体の円周方向の移動を防止する突起リブを設け、前記突起リブは、前記キャップ体と一体に形成した洗濯機の防振装置。
【請求項２】
ばね体の両端部は、略環状の中心方向へ折り曲げた折曲部を形成し、キャップ体に形成した突起リブは、前記折曲部に略平行な面を有する請求項１記載の洗濯機の防振装置。
【請求項３】
キャップ体の摺動リップの複数の切り欠き部は、スライダー内部から外部へ空気が流出入するように形成された請求項１または２に記載の洗濯機の防振装置。
【請求項４】
支持棒の下端部とキャップ体の間に、防振用のゴム体を設けた請求項１〜３のいずれか１項に記載の洗濯機の防振装置。
【請求項５】
防振用のゴム体の外周は、キャップ体に設けた環状リブにより覆うようにした請求項４記載の洗濯機の防振装置。
【発明の詳細な説明】
【０００１】
【発明の属する技術分野】
本発明は、水槽を洗濯機本体の上部から支持棒によりサスペンションを介して垂下防振支持する洗濯機の防振装置に関するものである。
【０００２】
【従来の技術】
従来、この種の防振装置を備えた洗濯機は、図９に示すように構成していた。以下、その構成について説明する。
【０００３】
図９に示すように、水槽１は、洗濯時の水を溜めるもので、この水槽１の内部に洗濯兼脱水槽２を回転自在に設け、この洗濯兼脱水槽２は中央内低部に衣類攪拌用のパルセータ３を設け、側壁には水抜き用の小穴４を多数設けている。水槽１には軸受け箱５、モータ６を配設し、モータ６は、洗濯時にはパルセータ３のみを回転駆動し、脱水時には洗濯兼脱水槽２のみを回転駆動するようベルト７、プーリ８を介して駆動力を軸受け箱５に伝達している。
【０００４】
また、スライダー９は、支持棒１０を介して支持金具１１に係合支持し、同時に球面座１２を介して水槽１を支持している。サスペンション１３は、コイルばねで構成し、スライダー９の内部に設けている。洗濯兼脱水槽２の上部にバランサー１４を設けている。
【０００５】
スライダー９の上部中央には、図１０に示すように、貫通穴９ａを設け、この貫通穴９ａは支持棒１０の径よりも若干大きめに設けており、支持棒１０を貫通している。支持棒１０の下方にはゴム性のキャップ体１５を設け、このキャップ体１５の外周に形成したシール部１５ａをスライダー９の円筒筒部の内壁と接している。
【０００６】
キャップ体１５は支持棒１０に設けた支持部１０ａにより支持している。サスペンション１３は、スライダー９の内面とキャップ体１５との間に配設している。ばね体１６は、キャップ体１５の外周に形成したシール部１５ａの内側に配設し、外方へ応力を分散させるようにしている。なお、１７はキャップ体を補強する金具である。
【０００７】
上記構成において、脱水時に、衣類が洗濯兼脱水槽２内部に不均一に入れられると、回転物のアンバランスとなって、振動を発生させる原因となる。ここで、支持棒１０およびサスペンション１３等の防振系により支持された構成を振動系と称する。この防振系および振動系は固有振動数を有する。
【０００８】
最近のように洗濯機が大型し、洗濯量が増えると、脱水回転数が振動系の共振周波数に対応する回転数と合致した場合、振動系の振動は極めて大きくなり、例えば水槽１が上下に大きく振動し、下死点に達した時に、サスペンション１３が密着状態になったり、また、上死点に達した時には上部の天板に衝突しやすくなる。
【０００９】
このような場合、大きな衝突音を発し、更には製品全体がその衝撃力で移動してしまうという極めて悪い現象になる。このような現象は特にサスペンション１３の減衰力の大きさに依存するが、使用環境温度が変わっても、この減衰力を安定して得ることが必要である。
【００１０】
【発明が解決しようとする課題】
しかしながらこのような従来の構成では、ばね体１６は、キャップ体１５の外周に形成したシール部１５ａの内側に配設し、外方へ応力を分散させるようにしているが、キャップ体１５がスライダー９の内面を摺動して上下方向に移動するとき、ばね体１６が円周方向に移動するため、スライダー９とキャップ体１５との摺動特性が安定せず、安定したダンパー性能を得ることができないという問題を有していた。
【００１１】
本発明は上記課題を解決するもので、スライダーとスライダー内面を摺動するキャップ体との摺動特性を安定させ、安定したダンパー性能を得ることを目的としている。
【００１２】
【課題を解決するための手段】
本発明は上記目的を達成するために、水槽を洗濯機本体の上部から支持棒によりサスペンションを介して垂下防振支持し、支持棒を貫通した筒状のスライダーによりサスペンションを被い、スライダー内面を摺動するキャップ体を支持棒の下端部に設け、キャップ体は、樹脂などの可とう性の材料にて形成し、摺動リップには、円周方向に略均等に複数の切り欠き部が形成され、摺動リップの内側には、内側から外方へ応力を分散させる略環状のばね体を配設し、このばね体の両端部の間には、ばね体の両端部が当接することでばね体の円周方向の移動を防止する突起リブを設け、突起リブは、キャップ体と一体に形成したものである。
【００１３】
これにより、スライダーとスライダー内面を摺動するキャップ体との摺動特性を安定させことができ、安定したダンパー性能を得ることができる。
【００１４】
【発明の実態の形態】
本発明の請求項１に記載の発明は、水槽を洗濯機本体の上部からサスペンションを介して垂下防振支持する支持棒と、前記支持棒を貫通しかつ前記サスペンションを被う筒状のスライダーと、前記支持棒の下端部に設け前記スライダー内面を摺動する摺動リップを有するキャップ体とを備え、前記キャップ体は、樹脂などの可とう性の材料にて形成し、前記摺動リップには、円周方向に略均等に複数の切り欠き部が形成され、前記摺動リップの内側には、内側から外方へ応力を分散させる略環状のばね体を配設し、前記ばね体の両端部の間には、前記ばね体の両端部が当接することで前記ばね体の円周方向の移動を防止する突起リブを設け、前記突起リブは、前記キャップ体と一体に形成したものであり、キャップ体が摺動しているときのばね体の円周方向の移動を防止できるとともに、スライダー内面の摺接面の外側方向全体に安定した接触圧を与えることができ、スライダーとスライダー内面を摺動するキャップ体との摺動特性を安定させことができ、安定したダンパー性能を得ることができる。
【００１５】
請求項２に記載の発明は、上記請求項１に記載の発明において、ばね体の両端部は、略環状の中心方向へ折り曲げた折曲部を形成し、キャップ体に形成した突起リブは、前記折曲部に略平行な面を有するものであり、ばね体の円周方向の移動を防止するために、ばね体の両端部に形成した折曲部が略平行に当接する面を有する突起リブに接するため、突起リブの局所的な摩耗、傷等を防ぐことができ、さらに、キャップ体の摺動時にばね体により、スライダー内面の摺接面に安定した接触圧を与えることができる。
【００１６】
請求項３に記載の発明は、上記請求項１または２に記載の発明において、キャップ体の摺動リップの複数の切り欠き部は、スライダー内部から外部へ空気が流出入するように形成されたものであり、通気機能を有する切り欠き部からの空気流出入による冷却作用で、スライダー内面と摺動するキャップ体との摩擦による温度上昇を下げることができる。
【００１７】
請求項４に記載の発明は、上記請求項１〜３に記載の発明において、支持棒の下端部とキャップ体の間に、防振用のゴム体を設けたものであり、脱水起動時において、ゴム体により支持棒の下端部とキャップ体の間の衝撃音を吸収できるとともに、振動系の振幅を低減することができる。
【００１８】
請求項５に記載の発明は、上記請求項４に記載の発明において、防振用のゴム体の外周は、キャップ体に設けた環状リブにより覆うようにしたものであり、垂下防振支持する全荷重時や衝撃荷重時に、防振用のゴム体の圧縮による外周膨張をキャップ体に設けた環状リブによって規制することができ、ゴム体の脱落を防止するとともに、耐久性を向上することができる。
【００１９】
【実施例】
以下、本発明の実施例について、図面を参照しながら説明する。
【００２０】
（実施例１）
図１に示すように、支持棒１８は、水槽（図示せず）を含む振動系を吊り下げ支持しており、この支持棒１８の下端にキャップ体１９を設けている。キャップ体１９は、摺動リップ１９ａを形成しており、この摺動リップ１９ａをスライダー２０の内壁に気密に摺動するよう摩擦接触させている。
【００２１】
サスペンション２１は、筒状のスライダー２０により被われるように、スライダー２０の内面とキャップ体１９との間に配設し、このサスペンション２１の自由長は、無負荷の時にはキャップ体１９がスライダー２０の下端よりも若干中に入り込む程度の長さに設定している。支持棒１８は、スライダー２０に支持棒１８の直径と略同じ直径を有する貫通穴２０ａを貫通して、スライダー２０とほとんど隙間のない状態で嵌合している。
【００２２】
サスペンション２１を被う筒状のスライダー２０と、スライダー２０の内面を摺動するキャップ体１９とは、樹脂の異種材料にて形成し、かつ線膨張係数が略同等の材料にて形成している。
【００２３】
代表的な例として、スライダー２０は、高密度ポリエチレン（ＨＤＰＥ）とし、キャップ体１９は、ポリブチレンテレフタレート（ＰＢＴ）として組み合わせるのがよい。その他、スライダー２０の材料として、ポリスチレン（ＰＳ）、キャップ体１９の材料として、ポリアセタール（ＰＯＭ）、ポリアミド（ＰＡ）などが適している。各材料の組合わせについては、洗濯機の洗濯容量や、洗濯兼脱水槽の上部に設けたバランサーの形態に応じて選択すればよい。
【００２４】
要するに、スライダー２０とキャップ体１９とは、樹脂の異種材料にて構成し、かつ線膨張係数が略同等の材料にて形成することにより、安定したダンパー性能を得るものである。
【００２５】
また、キャップ体１９には、図２に示すように、キャップ体１９の摺動方向（矢印Ａ）と略平行に、スライダー２０の内部空間と外部と連通させる空気通路穴２２を設け、空気通路穴２２の外部側の穴端面入口２２ａは、図３に示すように、面取り又は断面円弧状に形成している。
【００２６】
上記構成において作用を説明すると、筒状のスライダー２０と、このスライダー２０の内面を摺動するキャップ体１９とを線膨張係数が略同等の材料にて形成していることから、使用環境温度が変わっても、スライダー２０とスライダー２０内面を摺動するキャップ体１９との嵌合寸法を一定に保つことができ、摺動特性、すなわちダンパー力は、図４の実線で示すように、破線で示した従来品に比べ使用環境温度に影響されにくいダンパー特性を得ることができ、かつ、樹脂の異種材料の組合せによる摩耗耐久性が非常に高いものが得られる。
【００２７】
一方、振動系が上下に振動するとき、スライダー２０に対して、内部のキャップ体１９が上下にスライドするため、スライダー２０の内部の容積が振動に伴って激しく変化し、そのために内部へ空気が流出入できる空気通路穴２２が必要になる。もし、この空気通路穴２２がなかったり、断面積が小さすぎたりすると、内部の空気が抜けずに、スライダー２０が空気ばねとなって、異常な振動を起こすこととなる。
【００２８】
本実施例では、スライダー２０と支持棒とをしっくりした嵌合状態にし、キャップ体１９の摺動方向（矢印Ａ）と略平行に、スライダー２０の内部空間と外部と連通させる空気通路穴２２を設けているので、スライダー２０と支持棒との間のカタカタ音を防止しながら、安定した減衰力を得ることができる。
【００２９】
また、空気通路穴２２がスライダー２０内部になることにより、キャップ体１９の空気通過音を最小限に抑えることができる。また、空気通路穴２２をキャップ体１９の摺動方向と略平行に設けることにより、空気通路穴２２を一体成形により形成することができる。
【００３０】
また、空気通路穴２２の外部側の穴端面入口２２ａは、面取り又は断面円弧状に形成しているので、キャップ体１９が摺動し、サスペンション２１の伸縮時における空気流通時の空気通路穴２２からの風切り音を防止することができる。
【００３１】
（実施例２）
図５に示すように、キャップ体２３は、スライダー２４の内面を摺動するもので、樹脂等の可とう性を有する材料にて形成している。この可とう性を有する材料として、ポリブチレンテレフタレート（ＰＢＴ）、ポリスチレン（ＰＳ）などが適している。要するに、可とう性を有する材料にて形成したキャップ体２３により、スライダー２４の内面の摺接面に安定した接触圧を与えるよう構成することにより、安定したダンパー性能を得るものである。
【００３２】
このキャップ体２３の摺動リップ２３ａの内側から外方へ応力を分散させる略環状のばね体２５を配設している。このばね体２５の両端部は、略環状の中心方向へ折り曲げた折曲部２６を形成し、この折曲部２６の間に、ばね体２５の円周方向の移動を防止する突起リブ２７を設けている。
【００３３】
この突起リブ２７は、キャップ体２３と一体に形成し、かつ折曲部２６に略平行に当接する面２７ａを有している。また、ばね体２５は、図６に示すように、キャップ体２３の摺動リップ２３ａの内側に複数設けた係着リブ２８と線接触の嵌め合いにしている。他の構成は上記実施例１と同じである。
【００３４】
上記構成において作用を説明すると、キャップ体２３が摺動しているときのばね体２５の円周方向の移動を突起リブ２７により防止できるとともに、ばね体２５によりスライダー２４の内面の摺接面の外側方向全体に安定した接触圧を与えることができ、スライダー２４とスライダー２４の内面を摺動するキャップ体２３との摺動特性を安定させことができ、安定したダンパー性能を得ることができる。
【００３５】
また、ばね体２５の円周方向の移動を防止するために、ばね体２５の両端部に形成した折曲部２６が略平行に当接する面２７ａを有する突起リブ２７に接するため、突起リブ２７の局所的な摩耗、傷等を防ぐことができ、さらに、キャップ体２３の摺動時にばね体２５により、スライダー２４の内面の摺接面に安定した接触圧を与えることができる。安定したダンパー性能を得ることができる。
【００３６】
また、ばね体２５の両端部を略環状の中心方向へ折り曲げて形成した折曲部２６を挟み込むように手でもち、キャップ体２３の突起リブ２７を案内ガイドにして容易に着脱することができ、サービス性を向上することができる。
【００３７】
また、ばね体２５は、キャップ体２３の摺動リップ２３ａの内側に複数設けた係着リブ２８と線接触の嵌め合いにしているので、係着リブ２８によりばね体２５の脱落を防止できるとともに、キャップ体２３の摺動時にばね体２５により、スライダー２４の内面の摺接面に安定した接触圧を与えることができる。
【００３８】
（実施例３）
図７に示すように、キャップ体２９は、摺動リップ２９ａに円周方向に略均等に複数の切り欠き部３０を設け、この切り欠き部３０は、スライダー３１の内部から外部へ空気が流出入する通気機能を有するものである。他の構成は上記実施例１または２と同じである。
【００３９】
上記構成において作用を説明すると、通気機能を有する切り欠き部３０からの空気流出入（矢印Ｂ）による冷却作用で、スライダー３１の内面と摺動するキャップ体２９との摩擦による温度上昇を下げることができ、スライダー３１の内面と摺動するキャップ体２９との摩耗を最小限に抑えることができ、耐久性を向上することができる。
【００４０】
（実施例４）
図８に示すように、支持棒３２は、水槽（図示せず）を含む振動系を吊り下げ支持しており、この支持棒３２の下端にキャップ体３３を設け、支持棒３２の下端部３２ａとキャップ体３３の間に、防振用のゴム体３４を設けている。この防振用のゴム体３４の外周は、キャップ体３３に設けた環状リブ３３ａにより覆うようにしている。他の構成は上記実施例１または２と同じである。
【００４１】
上記構成において作用を説明すると、脱水起動時において、洗濯兼脱水槽（図示せず）内の衣類が不均一でアンバランスとなっているときの発生する振動により、キャップ体３３がスライダー３５の内面を上下に摺動したとき、ゴム体３４により支持棒３２の下端部３２ａとキャップ体３３との間の衝撃音を吸収するとともに、振動系の振幅を低減することができ、低騒音化、低振動化を図ることができる。
【００４２】
また、防振用のゴム体３４の外周は、キャップ体３３に設けた環状リブ３３ａにより覆うようにているので、垂下防振支持する全荷重時や衝撃荷重時に、防振用のゴム体３４の圧縮による外周膨張をキャップ体３３に設けた環状リブ３３ａによって規制することができ、ゴム体３４の脱落を防止するとともに、耐久性を向上することができる。
【００４３】
【発明の効果】
以上のように本発明の請求項１に記載の発明によれば、水槽を洗濯機本体の上部からサスペンションを介して垂下防振支持する支持棒と、前記支持棒を貫通しかつ前記サスペンションを被う筒状のスライダーと、前記支持棒の下端部に設け前記スライダー内面を摺動する摺動リップを有するキャップ体とを備え、前記キャップ体は、樹脂などの可とう性の材料にて形成し、前記摺動リップには、円周方向に略均等に複数の切り欠き部が形成され、前記摺動リップの内側には、内側から外方へ応力を分散させる略環状のばね体を配設し、前記ばね体の両端部の間には、前記ばね体の両端部が当接することで前記ばね体の円周方向の移動を防止する突起リブを設け、前記突起リブは、前記キャップ体と一体に形成したから、キャップ体が摺動しているときのばね体の円周方向の移動を防止できるとともに、スライダー内面の摺接面の外側方向全体に安定した接触圧を与えることができ、スライダーとスライダー内面を摺動するキャップ体との摺動特性を安定させことができ、安定したダンパー性能を得ることができる。
【００４４】
また、請求項２に記載の発明によれば、ばね体の両端部は、略環状の中心方向へ折り曲げた折曲部を形成し、キャップ体に形成した突起リブは、前記折曲部に略平行に当接する面を有するから、ばね体の円周方向の移動を防止するために、ばね体の両端部に形成した折曲部が略平行な面を有する突起リブに接するため、突起リブの局所的な摩耗、傷等を防ぐことができ、さらに、キャップ体の摺動時にばね体により、スライダー内面の摺接面安定した接触圧を与えることができ、安定したダンパー性能を得ることができる。また、ばね体の両端部を挟み込むように手でもち、キャップ体の突起リブを案内ガイドにして容易に着脱可能であることから、非常にサービス性の良い構成が得られる。
【００４５】
また、請求項３に記載の発明によれば、キャップ体の摺動リップの複数の切り欠き部は、スライダー内部から外部へ空気が流出入するように形成されたから、通気機能を有する切り欠き部からの空気流出入による冷却作用で、スライダー内面と摺動するキャップ体との摩擦による温度上昇を下げることができ、スライダーの内面と摺動するキャップ体との摩耗を最小限に抑え、耐久性を向上することができる。
【００４６】
また、請求項４に記載の発明によれば、支持棒の下端部とキャップ体の間に、防振用のゴム体を設けたから、脱水起動時において、ゴム体により支持棒の下端部とキャップ体の間の衝撃音を吸収できるとともに、振動系の振幅を低減することができ、低騒音化、低振動化を図ることができる。
【００４７】
また、請求項５に記載の発明によれば、防振用のゴム体の外周は、キャップ体に設けた環状リブにより覆うようにしたから、垂下防振支持する全荷重時や衝撃荷重時に、防振用のゴム体の圧縮による外周膨張をキャップ体に設けた環状リブによって規制することができ、ゴム体の脱落を防止するとともに、耐久性を向上することができる。
【図面の簡単な説明】
【図１】  本発明の第１の実施例の洗濯機の防振装置の縦断面図
【図２】  同洗濯機の防振装置の要部拡大断面図
【図３】  同洗濯機の防振装置のキャップ体の拡大断面図
【図４】  同洗濯機の防振装置のダンパー特性図
【図５】  （ａ）本発明の第２の実施例の洗濯機の防振装置の要部断面図
（ｂ）同洗濯機の防振装置の一部切欠した下面図
【図６】  同洗濯機の防振装置の要部拡大断面図
【図７】  本発明の第３の実施例の洗濯機の防振装置の要部断面図
【図８】  本発明の第４の実施例の洗濯機の防振装置の要部断面図
【図９】  従来の洗濯機の防振装置を備えた洗濯機の縦断面図
【図１０】  同洗濯機の防振装置の縦断面図
【符号の説明】
１８  支持棒
１９  キャップ体
２０  スライダー
２１  サスペンション
【図１】
0004013345.tif 000002
【図２】
0004013345.tif 000003
【図３】
0004013345.tif 000004
【図４】
0004013345.tif 000005
【図５】
0004013345.tif 000006
【図６】
0004013345.tif 000007
【図７】
0004013345.tif 000008
【図８】
0004013345.tif 000009
【図９】
0004013345.tif 000010
【図１０】
0004013345.tif 000011